(57)【特許請求の範囲】
【請求項１】
把持部（２）と該把持部（２）を開閉するための開閉部（３）とで構成される一対の回動部（４）を備え、前記一対の回動部（４）を第一接続部（５）及び第二接続部（６）により接続して一体で構成し、第一接続部（５）は、把持部（２）と開閉部（３）の間に設けられて回動部（４）の回動中心部を構成し、把持部（２）側の端面（５ａ）がＶ字状に形成されると共に開閉部（３）側の端面（５ｂ）が円弧状に形成され、第二接続部（６）は、開閉部（３）の端部に設けられ、把持部（２）の把持面（２ａ）には胚軸の維管束を潰さないように幅０．５ｍｍ以下の突条（２ｂ）を複数設け、把持部（２）の外側には羽根状の突起部（７）を設け、ポリエチレンにより一体成型して半透明で構成した接ぎ木クリップ。
【請求項２】
把持部（２）と該把持部（２）を開閉するための開閉部（３）とで構成される一対の回動部（４）を備え、前記一対の回動部（４）を第一接続部（５）及び第二接続部（６）により接続して一体で構成し、第一接続部（５）は、把持部（２）と開閉部（３）の間に設けられて回動部（４）の回動中心部を構成し、把持部（２）側の端面（５ａ）がＶ字状に形成されると共に開閉部（３）側の端面（５ｂ）が円弧状に形成され、第二接続部（６）は、開閉部（３）の端部に設けられ、把持部（２）の把持面（２ａ）には胚軸の維管束を潰さないように球面状の突起を設け、把持部（２）の外側には羽根状の突起部（７）を設け、ポリエチレンにより一体成型して半透明で構成した接ぎ木クリップ。
【発明の詳細な説明】
【０００１】
【発明の属する技術分野】
この発明は、穂木苗と台木苗とをその接合部を把持して固定する接ぎ木クリップの技術分野に属する。
【０００２】
【従来の技術】
例えば、特開平８−３１７７２７号公報に示されるように、把持部と該把持部を開閉するための開閉部とで構成される一対の回動部を備え、前記一対の回動部を把持部と開閉部との間の回動中心部となる単一の接続部により接続して一体で構成した弾性を有する接ぎ木クリップがある。この接ぎ木クリップは、一対の開閉部を両者が近づくように挟持操作することにより接続部を撓ませて該接続部を中心に一対の把持部を両者が離れるように開き作用させ、この一対の把持部間に穂木苗及び台木苗の胚軸を供給して前記開閉部の挟持操作を解除することにより一対の把持部を復元力で戻し、一対の把持部で穂木苗及び台木苗を共に把持して固定するものである。
【０００３】
【この発明が解決しようとする課題】
上記従来の接ぎ木クリップは、接続部を単一で構成しているので、接続部の強度が充分に得られず、開閉部の操作により前記接続部が塑性変形して一対の把持部により所望の把持寸法あるいは把持力が得られなくなるおそれがある。特に、この接ぎ木クリップを繰り返し使用すると、なおさら接続部の強度が低下して、所望の把持寸法あるいは把持力が得られなくなるおそれがある。
【０００４】
また、接続部の強度を上げるべく該接続部を重厚に構成すると、接続部の撓み量が充分に得られず、開閉部の操作による一対の回動部の相対的な回動量が不足して、一対の把持部の間隔を所望の寸法に広げることができなくなるおそれがある。
【０００５】
【課題を解決するための手段】
この発明は、上記課題を解決すべく、次の技術的手段を講じた。
すなわち、請求項１に係る発明は、把持部（２）と該把持部（２）を開閉するための開閉部（３）とで構成される一対の回動部（４）を備え、前記一対の回動部（４）を第一接続部（５）及び第二接続部（６）により接続して一体で構成し、第一接続部（５）は、把持部（２）と開閉部（３）の間に設けられて回動部（４）の回動中心部を構成し、把持部（２）側の端面（５ａ）がＶ字状に形成されると共に開閉部（３）側の端面（５ｂ）が円弧状に形成され、第二接続部（６）は、開閉部（３）の端部に設けられ、把持部（２）の把持面（２ａ）には胚軸の維管束を潰さないように幅０．５ｍｍ以下の突条（２ｂ）を複数設け、把持部（２）の外側には羽根状の突起部（７）を設け、ポリエチレンにより一体成型して半透明で構成した接ぎ木クリップとした。
【０００６】
また、請求項２に係る発明は、把持部（２）と該把持部（２）を開閉するための開閉部（３）とで構成される一対の回動部（４）を備え、前記一対の回動部（４）を第一接続部（５）及び第二接続部（６）により接続して一体で構成し、第一接続部（５）は、把持部（２）と開閉部（３）の間に設けられて回動部（４）の回動中心部を構成し、把持部（２）側の端面（５ａ）がＶ字状に形成されると共に開閉部（３）側の端面（５ｂ）が円弧状に形成され、第二接続部（６）は、開閉部（３）の端部に設けられ、把持部（２）の把持面（２ａ）には胚軸の維管束を潰さないように球面状の突起を設け、把持部（２）の外側には羽根状の突起部（７）を設け、ポリエチレンにより一体成型して半透明で構成した接ぎ木クリップとした。
【０００７】
【効果】
よって、一対の開閉部を操作することにより第一接続部及び第二接続部が変形して一対の把持部を開き、この一対の把持部間に穂木苗及び台木苗を供給し、前記開閉部の操作を解除することにより複数の接続部の変形を復元力で元に戻し、一対の把持部を閉じて穂木苗及び台木苗を共に把持して固定する。そして、第一接続部（５）の把持部（２）側の端面（５ａ）がＶ字状に形成されるので、一対の回動部の回動支点が定まって安定し、一対の把持部により適正な把持位置及び把持力で接ぎ木苗を把持することができると共に、第一接続部（５）の開閉部（３）側の端面（５ｂ）が円弧状に形成されるので、一対の把持部を開閉するときの第一接続部の一か所への応力集中を避けることができ、接ぎ木クリップの破損を防止することができ、一対の把持部により充分な開閉量及び把持力を得ることができ、接ぎ木クリップによる穂木苗及び台木苗の固定作業を容易に行えると共に適正な接合状態で接合させることができ、接ぎ木苗の接合を良好に行える。また、把持部の把持面には複数の幅０．５ｍｍ以下の突条又は球面状の突起を設けているので、把持した接ぎ木苗をしっかりと把持することができて穂木苗及び台木苗がずれにくくなると共に、直径が約０．５ｍｍである胚軸の維管束を潰しにくくなり、この維管束により接ぎ木苗が充分な養水分を吸収して接ぎ木苗の良好な接合及び育苗を図ることができる。更に、接ぎ木クリップはポリエチレンにより一体成型して半透明で構成されているので、軽くなって取扱性が向上するばかりでなく、接ぎ木クリップの自重により胚軸の軟らかい接ぎ木苗が倒れるのを防止できる。しかも、ポリエチレンによる成型であるので、製造コストの低減を図ることができ、焼却してもダイオキシンが発生しないので焼却することができる。また、ポリエチレンによる成型であるので、ポリエチレンの素材色である半透明となり、青色や黄色などの害虫が寄りやすい色を避けた色とすることができ、害虫対策となる。そして、把持部の外側には羽根状の突起部を設けたので、接ぎ木クリップがポリエチレンの樹脂製でありながら適度な重量となり、接ぎ木ロボットのクリップフィーダによりクリップ供給レールへあるいはクリップ供給レールにおいて接ぎ木クリップを安定して供給することができる。また、把持部が重くなるので、クリップ供給レールへ接ぎ木クリップが把持部側から安定して供給される。また、突起部７により接ぎ木クリップをクリップ供給レールに案内させることができ、適正な姿勢で接ぎ木クリップを供給でき、クリップ供給レールでの接ぎ木クリップの供給を安定して行うことができる。
【０００８】
【発明の実施の形態】
この発明の実施の一形態を図面に基づいて説明する。
接ぎ木クリップ１は、把持部２と開閉部３とを備える回動部４を左右一対備え、把持部２と開閉部３との間に設けた第一接続部５と開閉部３の端部に設けた第二接続部６とにより左右一対の回動部４を接続している。尚、この接ぎ木クリップ１は、ポリエチレンにより一体成型され、左右対称且つ上下対称の形状となっている。左右一対の把持部２の内側の把持面２ａには、幅０．５ｍｍ以下の突条２ｂを上下方向に複数設けている。把持部２の外側には、その上下方向中央位置に羽根状の突起部７を設けている。第一接続部５は、把持部２と上下方向の幅が同一に構成され、平面視で前側（把持部側）の端面５ａがＶ字状に角を有した構成となっているのに対し、平面視で後側（開閉部側）の端面５ｂが円弧状の凹形状になっており角を有さない構成となっている。第二接続部６は、開閉部３と上下方向の幅が同一に構成され、通常の状態で左右中央が前側（把持部側）に位置するように平面視で曲線状に構成されている。尚、把持部２の上下方向の幅は、開閉部３の上下方向の幅より大きくなっている。
【０００９】
そして、作業者が左右一対の開閉部３をつまんで挟持操作すると、第一接続部５及び第二接続部６が撓み、左右一対の回動部４が回動中心部となる第一接続部５を中心に相対的に回動して左右一対の把持部２が開く。このとき、第二接続部６は、左右中央が前側（把持部側）に移動して平面視で曲率が大きくなるように撓む。そして、左右一対の把持部２間に穂木苗及び台木苗の胚軸を上下方向に向けた状態で両者の切断面を接続した状態でこの接合部を供給し、開閉部３を放すことにより一対の把持部２を第一接続部５及び第二接続部６の復元力で戻し、該把持部２で穂木苗及び台木苗を共に把持して固定する。
【００１０】
尚、この接ぎ木クリップ１は、穂木苗及び台木苗を自動的に切断しこれらを接合すると共にこの接ぎ木苗の接合部を自動的に固定する接ぎ木ロボットにも使用できる。この接ぎ木ロボットは、接ぎ木クリップ１を自動的に一個づつ接ぎ木位置に供給するためのクリップ供給レール及び自動的に接ぎ木位置で一対の把持部を開閉するクリップ開閉アクチュエータを備えたものである。また、前記クリップ供給レールの搬送始端部には該レールへ順に接ぎ木クリップ１を供給するためのクリップフィーダを設けており、該クリップフィーダに複数個の接ぎ木クリップ１を供給してクリップフィーダを駆動することにより該クリップフィーダの振動でクリップ供給レールへ接ぎ木クリップを供給していくようになっている。このクリップフィーダにおいて、接ぎ木クリップ１は前側となる把持部側に羽根状の突起部７を設けているので、この突起部７により接ぎ木クリップ１がポリエチレンの樹脂製でありながら適度な重量となり、クリップ供給レールへあるいはクリップ供給レールにおいて接ぎ木クリップ１を安定して供給することができる。また、接ぎ木クリップ１の前端部である把持部２が重くなるので、クリップ供給レールへ接ぎ木クリップ１が把持部２側から安定して供給される。尚、接ぎ木クリップ１が、ポリエチレンの樹脂製であると、軽くなりすぎてクリップ供給レールにおいて詰まったりして接ぎ木ロボットでの供給が不安定になるおそれがある。また、突起部７により接ぎ木クリップ１をクリップ供給レールに案内させることができ、適正な姿勢で接ぎ木クリップ１を供給でき、クリップ供給レールでの接ぎ木クリップ１の供給を安定して行うことができる。また、接ぎ木クリップ１が一体成型されているので、従来のリング状のスプリング等のひっかかる部分が無く、クリップ供給レールでの接ぎ木クリップ１の供給を安定して行うことができる。
【００１１】
以上により、接ぎ木クリップ１は、把持部２と該把持部２を開閉するための開閉部３とで構成される一対の回動部４を備え、前記一対の回動部４を複数の接続部５，６により接続して一体で構成されている。
よって、一対の把持部２に充分な開閉量が得られるので接ぎ木クリップ１による穂木苗及び台木苗の固定作業を容易に行えると共に、一対の把持部２の把持力を得ることができるので、把持部２内で穂木苗及び台木苗の胚軸がずれるようなことが抑えられ、適正な接合状態で接合させることができ、接ぎ木苗の接合を良好に行える。
【００１２】
また、第二接続部６を第一接続部５からもっとも距離のある接ぎ木クリップ１の後端部（開閉部３の端部）に配置したので、一対の回動部４の接続の強度を増すことができ、クリップ１の破損を防止することができる。また、一対の把持部２を開くとき、第二接続部６が左右中央が前側（把持部２側）に移動して平面視で元の屈曲方法のまま曲率が大きくなるように撓むので、スム−ズに一対の把持部２を開くことができ、接ぎ木作業の容易化を図ることができる。尚、第二接続部６を平面視で波状に屈曲させてもよく、これにより第二接続部６をスム−ズに撓ませることができ、接ぎ木作業の容易化を図ることができる。
【００１３】
また、接ぎ木クリップ１は、ポリエチレンにより成型しているので、軽くなって取扱性が向上するばかりでなく、該クリップ１の自重により胚軸の軟らかい接ぎ木苗が倒れるのを防止できる。従来の接ぎ木クリップは、一般的な樹脂により成型していたため重く、胚軸の軟らかい接ぎ木苗を倒すおそれがある。また、ポリエチレンによる成型であるので、製造コストの低減を図ることができ、また、焼却してもダイオキシンが発生しないので焼却することができる。また、ポリエチレンによる成型であるので、ポリエチレンの素材色である半透明となり、青色や黄色などの害虫が寄りやすい色を避けた色とすることができ、害虫対策となる。
【００１４】
また、第一接続部５を平面視で前側（把持部２側）の端面５ａがＶ字状に角を有した構成とすることにより、一対の回動部４の回動支点が定まって安定し、一対の把持部２により適正な把持位置及び把持力で接ぎ木苗を把持することができる。しかも、第一接続部５を平面視で後側（開閉部側）の端面５ｂが円弧状の凹形状になっており角を有さない構成となっているので、一対の把持部２を開閉するときの第一接続部５の一か所への応力集中を避けることができ、接ぎ木クリップ１の破損を防止することができる。従来は、接続部が平面視で後側（開閉部側）の端面が円弧状の凸形状になっていたので、一対の把持部の開閉がスム−ズに行われなく、また応力集中が生じやすくて一体成型の接ぎ木クリップは破損しやすいものであった。
【００１５】
また、把持部２の把持面２ａに幅０．５ｍｍ以下の突条２ｂを設けているので、把持した接ぎ木苗をしっかりと把持することができて穂木苗及び台木苗がずれにくくなると共に、直径が約０．５ｍｍである胚軸の維管束を潰しにくくなり、この維管束により接ぎ木苗が充分な養水分を吸収して接ぎ木苗の良好な接合及び育苗を図ることができる。尚、前述の突条に代えて、球面状の突起としてもよい。従来は、把持部の把持面の突条の幅が比較的大きく、胚軸の維管束を潰すおそれがあった。
【図面の簡単な説明】
【図１】接ぎ木クリップの正面図。
【図２】接ぎ木クリップの平面図。
【図３】接ぎ木クリップの背面図。
【図４】接ぎ木クリップの側面図。
【符号の説明】
１…接ぎ木クリップ、２…把持部、３…開閉部、４…回動部、５…第一接続部、６…第二接続部
【図１】
0004923350.tif 000002
【図２】
0004923350.tif 000003
【図３】
0004923350.tif 000004
【図４】
0004923350.tif 000005